(57)【要約】【課題】本発明の課題は、利用者の動線を把握して、有効かつ快適な個別空調を行うことである。【解決手段】空調制御システム１は、空調対象空間ＳＰにおいて個別空調を行う空調制御システム１であって、位置情報取得部１１ｃ，２１，２５と、記憶部１３と、空調制御部１１ｂ，２２と、を備える。位置情報取得部１１ｃ，２１，２５は、空調対象空間ＳＰにおいて所定の時点での利用者の位置を示す位置情報１３ａを取得する。記憶部１３は、位置情報を記憶する。空調制御部１１ｂ，２２は、記憶部１３に記憶された複数の位置情報１３ａに基づき空調対象空間ＳＰの空調制御情報を生成し、空調を実行させる。【選択図】図１
2008215705.tif 000002
【特許請求の範囲】
【請求項１】
空調対象空間（ＳＰ）において個別空調を行う空調制御システム（１）であって、
前記空調対象空間において所定の時点での利用者の位置を示す位置情報（１３ａ）を取得する位置情報取得部（１１ｃ，２１，２５）と、
前記位置情報を記憶する記憶部（１３）と、
前記記憶部（１３ａ）に記憶された複数の前記位置情報に基づき前記空調対象空間の空調制御情報を生成し、空調を実行させる空調制御部（１１ｂ，２２）と、
を備える空調制御システム。
【請求項２】
前記記憶部（１３）は、前記位置情報と前記位置情報を取得した時刻である時刻情報とを関連付けて記憶し、
前記空調制御部（１１ｂ）は、前記位置情報と前記時刻情報とに基づき前記空調制御情報を生成する、
請求項１に記載の空調制御システム。
【請求項３】
前記空調対象空間を予め複数の領域（Ａｒ）に分割し、
前記位置情報取得部（１１ｃ，２１，２５）は、前記領域毎に前記位置情報（１３ａ）を取得する、
請求項１に記載の空調制御システム。
【請求項４】
前記位置情報（１３ａ）は、前記所定の時点での熱情報から取得される情報である、
請求項１に記載の空調制御システム。
【請求項５】
所定時間における前記位置情報の変化に基づき、前記利用者の運動量を推定する運動量推定部を更に備え、
前記空調制御部（１１ｂ）は、更に前記推定運動量に応じて空調制御情報を生成する、請求項１に記載の空調制御システム。
【請求項６】
前記領域毎の固有情報を記憶する領域情報記憶部（１３）を更に備え、
前記空調制御部（１１ｂ）は、更に前記領域情報（１３ｂ）に応じて前記空調制御情報を生成する、
請求項３に記載の空調制御システム。
【請求項７】
前記利用者が携帯する携帯機器（３０）を更に備え、
前記位置情報取得部（１１ｃ，２１，２５）は前記携帯機器からの信号を受信することにより前記位置情報を取得する、
請求項１に記載の空調制御システム。
【請求項８】
前記利用者の固有情報を記憶する利用者情報記憶部（１３）を更に備え、
前記空調制御部（１１ｂ）は、更に前記利用者情報（１３ｄ）に応じて前記空調制御情報を生成する、
請求項７に記載の空調制御システム。
【請求項９】
空調対象空間（ＳＰ）において個別空調を行う空調制御方法であって、
前記空調対象空間において所定の時点での利用者の位置を示す位置情報を取得する第１ステップと、
前記位置情報を記憶する第２ステップと、
記憶された複数の前記位置情報に基づき前記空調対象空間の空調制御情報を生成する第３ステップと、
前記空調制御情報に応じて空調を実行する第４ステップと、
を備える空調制御方法。
【発明の詳細な説明】
【技術分野】
【０００１】
本発明は、空調制御システム及び空調制御方法に関する。
【背景技術】
【０００２】
従来、比較的広い空調空間においては、滞在する利用者に対し、空調機の吹出口からそれぞれ均等に気流を吹き出すようにしていた。このような場合、例えば空調空間内の温度ムラが生じ、ドラフト感を伴う快適性に劣る領域が存在したり、人の居ない領域を人の居る領域と同じように空調することになり無駄が生じていたりしていた。このように、不必要且つ無駄な空調が実行される等諸々の従来の問題を解消するものとして、様々な個別空調が提案されている。
（例えば、特許文献１、特許文献２、特許文献３、特許文献４及び特許文献５）。
【特許文献１】特許第３８０７３０５号明細書
【特許文献２】特開２００３−１９４３８５号公報
【特許文献３】特開平１０−２５３１２８号公報
【特許文献４】特開平０９−１４５１２３号公報
【特許文献５】特開平０３−１５６２３９号公報
【発明の開示】
【発明が解決しようとする課題】
【０００３】
上記従来技術においては、いずれも利用者の滞在する位置情報、すなわち静的位置情報に基づく個別空調を前提としている。しかし、実際の空調対象空間においては、人の移動が頻繁に発生する。例えば、デパートや公共施設等の空間やオフィス空間では、人が頻繁に移動する動線が存在しその動線において予想以上に熱が発生するものである。しかし、従来の技術では、利用者の静的位置に対応して個別空調を行っているに過ぎず、熱の移動量や熱の変化量が把握されていないため、十分な快適性が保証されているとは言い難い。特に、利用者が滞在している領域に対して個別空調を行っても、障害物（機器、棚等）が存在する可能性もあり、有効な個別空調が実現できない可能性もある。利用者が滞在する静的位置と利用者が移動する動線とが把握できれば、より有効な個別空調が実現できる。
【０００４】
そこで、本発明の課題は、利用者の動線を把握して、有効かつ快適な個別空調を行う空調制御システムを提供する。
【課題を解決するための手段】
【０００５】
第１発明に係る空調制御システムは、空調対象空間において個別空調を行う空調制御システムであって、位置情報取得部と、記憶部と、空調制御部とを備える。位置情報取得部は、空調対象空間において所定の時点での利用者の位置を示す位置情報を取得する。記憶部は、位置情報を記憶する。空調制御部は、記憶部に記憶された複数の位置情報に基づき空調対象空間の空調制御情報を生成し、空調を実行させる。
【０００６】
ここでは、利用者の動線を把握して、有効かつ快適な個別空調を行う。これにより、障害物等を避け人の存在するエリアのみを特定して個別空調を行うことができる。
【０００７】
第２発明に係る空調制御システムは、第１発明の空調制御システムであって、記憶部は、位置情報と位置情報を取得した時刻である時刻情報とを関連付けて記憶し、空調制御部は、位置情報と時刻情報とに基づき空調制御情報を生成する。
【０００８】
ここでは、記憶した位置情報を再利用して空調制御を行うことができる。
【０００９】
第３発明に係る空調制御システムは、第１発明の空調制御システムであって、空調対象空間を予め複数の領域に分割し、位置情報取得部は、領域毎に位置情報を取得する。
【００１０】
ここでは、より効率的に利用者の位置情報を取得することができる。
【００１１】
第４発明に係る空調制御システムは、第１発明の空調制御システムであって、位置情報は、所定の時点での熱情報から取得される情報である。
【００１２】
ここでは、熱センサー等の既存の設備を利用できるとともに容易に位置情報を取得することが可能となる。
【００１３】
第５発明に係る空調制御システムは、第１発明の空調制御システムであって、所定時間における位置情報の変化に基づき、利用者の運動量を推定する運動量推定部を更に備え、空調制御部は更に推定運動量に応じて空調制御情報を生成する。
【００１４】
ここでは、動線空間における利用者の運動量、すなわち動線空間における熱量に応じた個別空調を行うことができる。
【００１５】
第６発明に係る空調制御システムは、第３発明の空調制御システムであって、領域毎の固有情報を記憶する領域情報記憶部を更に備え、空調制御部は、更に領域情報に応じて空調制御情報を生成する。ここで、領域情報とは、照明機器やコピー機器等の配置による熱の量、日射や輻射熱による熱の量等を数値化等した固有情報をいう。
【００１６】
ここでは、更に領域情報を利用することにより効果的で個々の空間状況に応じた個別空調を行うことができる。
【００１７】
第７発明に係る空調制御システムは、第１発明の空調制御システムであって、利用者が携帯する携帯機器を更に備え、位置情報取得部は、携帯機器からの信号を受信することにより位置情報を取得する。ここで、携帯機器とは、例えば、携帯電話、ＩＣカード、ＩＣタグ又は携帯端末等である。
【００１８】
ここでは、利用者が普段携帯する機器を利用して利用者の位置をより容易に把握できる。
【００１９】
第８発明に係る空調制御システムは、第７発明の空調制御システムであって、利用者の固有情報を記憶する利用者情報記憶部を更に備え、空調制御部は、更に利用者情報に応じて空調制御情報を生成する。
【００２０】
ここでは、更に利用者の嗜好等を反映した個別空調が実現できる。
【００２１】
第９発明に係る空調制御方法は、空調対象空間において個別空調を行う空調制御方法であって、第１ステップから第４ステップを備える。第１ステップにおいては、空調対象空間において所定の時点での利用者の位置を示す位置情報を取得する。第２ステップにおいては、位置情報を記憶する。第３ステップにおいては、記憶された複数の位置情報に基づき空調対象空間の空調制御情報を生成する。第４ステップにおいては、空調制御情報に応じて空調を実行する。
【００２２】
ここでは、利用者の動線を把握して、有効かつ快適な個別空調を行う。
【発明の効果】
【００２３】
第１発明に係る空調制御システムでは、利用者の動線を把握して、有効かつ快適な個別空調を行う。これにより、障害物等を避け人の存在するエリアのみを特定して個別空調を行うことができる。
【００２４】
第２発明に係る空調制御システムでは、位置情報と位置情報を取得した時刻情報とを関連付けて記憶し、同位置情報と時刻情報とに基づき空調制御情報を生成することにより、記憶した位置情報を再利用して空調制御を行うことができる。
【００２５】
第３発明に係る空調制御システムでは、空調対象空間を予め複数の領域に分割することにより効率的に位置情報を取得することができる。
【００２６】
第４発明に係る空調制御システムでは、熱センサー等の既存の設備を利用できるとともに容易に位置情報を取得することが可能となる。
【００２７】
第５発明に係る空調制御システムでは、移動空間における利用者の運動量、すなわち移動空間における熱量に応じた個別空調をより効果的に行うことができる。
【００２８】
第６発明に係る空調制御システムでは、更に領域情報を利用することにより効果的で個々の空間状況に応じた個別空調を行うことができる。
【００２９】
第７発明に係る空調制御システムでは、利用者が普段携帯する機器を利用して利用者の位置をより容易に把握できる。
【００３０】
第８発明に係る空調制御システムでは、更に利用者の嗜好等を反映した個別空調が実現できる。
【００３１】
第９発明に係る空調制御方法では、利用者の動線を把握して、有効かつ快適な個別空調を行うことができる。
【発明を実施するための最良の形態】
【００３２】
図１に、本発明の実施形態に係る空調制御システム１の全体的な構成図を示す。
【００３３】
＜空調制御システムの構成＞
図１に示すように、空調制御システム１は、管理装置１０と、同管理装置１０と通信線２等を介して通信可能な位置センサー２１、室外機２３及び室内機２４を含む空調機群、位置判定装置２５と、利用者が携帯する携帯電話３０とを備える。
【００３４】
管理装置１０は、建物内においてＬＡＮ等のネットワークを介して空調機を管理・制御するコンピュータである。管理装置１０は、複数ある空調対象空間ＳＰに対する空調を管理・制御する。
【００３５】
空調機は、室外機２３と室内機２４とから構成される。室内機２４は、各空調対象空間ＳＰの天井等に設置される。各室内機２４は複数個所（図示例では四方４箇所）に吹出口２４ａを有する。
【００３６】
位置センサー２１は、利用者が携帯する携帯電話３０が電波の届く範囲内に存在するかどうかを検知して利用者の位置を特定する。なお、電波の届く範囲内に位置センサー２１を複数置いて位置を検知するようにしてもよい。この場合、電波受信までの時間差や電波強度の差等を利用することにより高精度の位置情報を得られる。
【００３７】
位置判定装置２５は、位置センサー２１からの情報に基づき、利用者の位置を算出し特定する。ここでは、利用者が位置している領域Ａｒ（図４）も特定される。なお、領域Ａｒは、各室内機２４の空調範囲に基づき空調対象空間ＳＰを論理的に分割して設定された領域である。位置判定装置２５は、位置センサー２１により検知された利用者の位置がいずれの領域Ａｒに属するか照合し特定する。位置判定のタイミング或いは頻度は、一定の時間間隔とし、例えば人が歩く速さに合わせた時間間隔に設定する。例えば、移動する人が任意の領域Ａｒから隣接する領域Ａｒまでに至ると予想される時間毎（数秒毎）に判定するよう設定してもよい。これにより、利用者が移動しているのか、留まっているのかの情報が取得し易くなる。なお、図示例では、位置判定装置２５は、管理装置１０とは別に示されているが、管理装置１０の制御部の一つとして設けられていてもよい。或いは、別途設けられている位置情報システムの一部を利用したものであってもよい。
【００３８】
＜管理装置の構成＞
図２は、管理装置１０の構成及び情報の流れを概略的に示したものである。管理装置１０は、主に、制御部１１と、記憶部１３と、通信部１２とを有する。
【００３９】
制御部１１は、ＣＰＵ等に配され、動線情報生成部１１ａと、空調制御情報生成部１１ｂと、位置情報取得指令部１１ｃとを有する。動線情報生成部１１ａは、後述するように、記憶部１３から各情報を読み出して利用者の動線情報を生成する。生成された動線情報は記憶部１３に記憶される。なお、動線情報とは、図４に示すように、空調対象空間ＳＰにおける利用者の経時的に変化する位置情報をいう。
【００４０】
空調制御情報生成部１１ｂは、位置情報１３ａ、動線情報１３ｅ及びその他の情報を読み出し、空調制御情報を生成する。生成された空調制御情報は、空調機にある空調機制御部２２に送信され、空調が実行される。なお、空調制御情報は、対象となる領域Ａｒ、実行される時刻と共に記憶部１３に記憶される。
【００４１】
位置情報取得指令部１１ｃは、通信部１２に予め設定されたタイミングで、位置判定装置２５より利用者の位置情報を取得するよう指令する。
【００４２】
本実施形態における空調制御は個別空調を実行するものであり、主に、各室内機２４の吹出気流の設定により行う。吹出気流の設定は、吹出口の角度、吹出気流の風量や風温等の設定を含む。吹出口の角度の設定は、例えば、吹出口２４ａの内側に設けられた複数のフラップ（図示省略）の角度を動線位置に向けるように行う。吹出気流の風量は、例えば、室内機２４の内部に設けられ、吹出流路の開口面積を拡大・縮小させる公知の風量調整機構を設けて調節される。また、吹出気流の風温は、設定温度により設定や冷媒の蒸発目標温度を変更する等して行う。
【００４３】
記憶部１３は、位置情報１３ａと、領域情報１３ｂと、空調情報１３ｃと、利用者情報１３ｄと、動線情報１３ｅとを格納する。記憶部１３は、ＲＡＭやＲＯＭ等の内部メモリやハードディスク等の外部メモリにより構成される。
【００４４】
位置情報１３ａは、利用者の携帯電話３０からの信号から、利用者の位置及びその信号を受信した時刻の情報を蓄積したものである。本実施形態においては、後述するように、携帯電話３０から信号を受信した位置センサー２１の情報に基づき、位置判定装置２５が利用者の位置を判定して領域Ａｒを特定し、その信号を受信した時刻と関連付けて位置情報として取得する。位置情報は記憶部１３に格納される。
【００４５】
領域情報１３ｂは、各領域Ａｒに関する固有情報である。具体的には、各領域Ａｒにおける温度、照明機器やコピー機器等の配置や利用者の滞在による熱の量、日射や輻射熱による熱の量等の領域固有の情報を数値化する等して格納した情報である。なお、温度等の情報は、図示せぬ温度センサーからリアルタイムに受信したものであってもよい。
【００４６】
空調情報１３ｃは、管理装置１０が管理する空調機２３，２４に関する固有情報や、現在の空調状態等を示す情報を数値化する等して格納した情報である。利用者情報１３ｄは、予め登録された利用者を特定する情報や個人の嗜好等を示す利用者の固有情報を数値化する等して格納した情報である。例えば、利用者が冷え性である、暑がりである等の情報も含まれる。
【００４７】
動線情報１３ｅは、動線情報生成部１１ａにおいて生成された動線情報を格納する。空調制御情報１３ｆは、空調制御情報生成部１１ｂにおいて生成された空調制御情報を格納する。
【００４８】
これらの情報は、後述するように、空調制御情報の生成過程において反映される。
【００４９】
通信部１２は、空調制御情報生成部１１ｂにより生成された空調制御情報を空調機制御部２２に送信したり、位置判定装置２５や空調機２３，２４からの情報を受信したりする。
【００５０】
＜空調制御システムの処理動作＞
図３は、本実施形態の空調制御システム１による処理の流れを示すフローチャートを示す。なお、本処理は、携帯電話３０を携帯する各利用者に対して行われるものとする。
【００５１】
まず、図３Ａに示すように、いずれかの位置センサー２１が利用者の携帯する携帯電話３０からの信号を受信したかどうかを判定する（Ｓ１０１ステップ）。受信がない場合は、所定時間信号受信がないかどうかを判定し（Ｓ１０２ステップ）、所定時間信号受信がない場合は、Ｓ１０７ステップに進む。所定時間信号受信がない場合とは、例えば、利用者が空調対象空間ＳＰより退出してしまった場合を意味する。
【００５２】
携帯電話３０からの受信がある場合は、上述のように利用者の位置を位置判定装置２５により判定し、利用者の個人ＩＤ或いは携帯電話の固有ＩＤ（以下、利用者ＩＤとする。）、利用者が位置する領域Ａｒを示す領域ＩＤ、及びその位置情報を取得した時刻を関連付けて、位置情報として記憶部１３に格納する（Ｓ１０３ステップ）。次に、携帯電話３０から信号が最初の受信かどうかを判定する（Ｓ１０４ステップ）。ここで、最初の受信とは、本処理が開始してから当該携帯電話３０からの受信が最初であるということである。最初の受信であれば、Ｓ１０１ステップに戻り、最初の受信でなければ、Ｓ１０５ステップに進む。
【００５３】
次に、Ｓ１０５ステップにおいて、判定された位置情報における領域ＩＤが、先に格納された領域ＩＤと比較して変化があったかどうか、すなわち利用者の位置に変化があったかどうかを判定する（Ｓ１０５ステップ）。位置に変化がなかった場合には、Ｓ１０１ステップに戻り、位置に変化はあった場合は、領域ＩＤのカウント数をインクリメントする等して利用者の位置変化量を格納する（Ｓ１０６ステップ）。そして、Ｓ１０１ステップに戻る。
【００５４】
上記処理を行った後、図３Ｂに示すＳ１０７ステップに進む。まず、空調制御情報生成が必要かどうかを判定する（Ｓ１０７ステップ）。ここで、空調制御情報生成が必要と判定する場合とは、例えば、その利用者に対して新たに格納された位置情報とすでに格納されている位置情報とを比較して変化している場合等をいう。また、空調制御情報生成が必要でないと判定する場合とは、例えば、利用者の携帯電話からの信号の受信回数が少ない、すでに格納されている位置情報と変わらない等である。これらの条件を所定の式に当てはめて、空調制御情報を生成する必要と認められる新たな利用者の活動状況があったかどうかを判定する。空調制御情報生成が必要でないと判定された場合は、処理を終了し、必要であると判定された場合は、Ｓ１０８ステップに進む。
【００５５】
Ｓ１０８〜Ｓ１０９ステップでは、動線情報を生成する。まず、利用者の位置変化が有り、かつその位置変化量（Ｓ１０６ステップで処理）が所定量以上であったかどうかを判定する（Ｓ１０８ステップ）。この条件を満たした場合、後述するような動線情報（図４）を生成し、格納する（Ｓ１０９ステップ）。
【００５６】
次いで、上述した領域情報１３ｂ、空調情報１３ｃ、利用者情報１３ｄの参照を必要するかどうかを判定する（Ｓ１１０ステップ）。参照する場合は、それぞれ数値化された（例えば重み係数化等）各情報を取得する（Ｓ１１１ステップ）。例えば、領域情報から熱が比較的高い領域に関しては、吹出口の風量を多めに設定したり、利用者情報から冷房弱者の利用者であれば吹出口の風量を少なめに設定したりする。
【００５７】
空調制御情報生成部１１ｂは、位置情報１３ａ或いは動線情報１３ｅとこれらの参照情報に基づいて空調制御情報を生成し、格納する（Ｓ１１２ステップ）。管理装置１０の制御部１１は、格納された空調制御情報１３ｆを読み出し、空調機制御部２２に送信し空調制御を実行する（Ｓ１１３ステップ）。
【００５８】
上記処理は管理装置１０に格納された所定のプログラムにより一部或いは全てを実行される。なお、本発明の空調制御システム１による処理の流れは上述したものに限定されるものではない。
【００５９】
なお、上記空調制御システム１の処理においては、利用者の静的位置情報に基づく空調制御情報の生成と、利用者の動線情報に基づく空調制御情報生成とが行われることになるが、空調機の能力や数に限りがある場合、いずれかを優先させるようにして空調制御を行うよう設定してもよい。
【００６０】
例えば、利用者が滞在する静的位置や照明機器、ＯＡ機器等の配置に応じた個別空調を優先させ、その制御に関わっていない余った室内機或いは吹出口の能力を用いて、利用者の動線に対する個別空調を行うように制御してもよい。例えば、人が滞在する静的位置において障害物等が存在するため有効な個別空調が行われない場合に、かかるエリアを避けて利用者の動線であるエリアの個別空調を行うようにしてもよい。
【００６１】
＜動線情報及び空調制御情報の生成＞
図４は、本実施形態による制御態様を示す。
【００６２】
同図において、平面的に示した空調対象空間ＳＰは、３６の領域Ａｒに分割されている。なお、この領域分割は、各室内機２４の空調範囲に合わせて論理上分割されてものであって、管理装置１０においてデータとして格納されている。また、空調対象空間ＳＰには、４つの室内機２４が配されており、図４に示すごとく、９つの領域Ａｒに対し一機の室内機２４が割り当てられ、各室内機２４は、真下に位置する領域Ａｒを中心に隣接する八方の領域Ａｒに対する空調を行うよう設定されている。
【００６３】
利用者が図４に示すように移動していくと、領域Ａｒ１、Ａｒ２、Ａｒ３、Ａｒ４が動線情報として生成される。
【００６４】
空調制御情報の生成においては、領域Ａｒ１〜Ａｒ２に対しては、図４の矢印で示すごとく、室内機２４１の二つの吹出口２４ａの吹出方向をそれぞれの領域に向けるよう設定する。領域Ａｒ３〜Ａｒ４に対しては、同様に、室内機２４２の二つの吹出口２４ａをそれぞれの領域に向けるよう設定する。
【００６５】
＜実施形態に係る空調制御システムの特徴＞
（１）
上記実施形態に係る空調制御システム１では、位置判定装置２５は、利用者の空調対象空間ＳＰにおいて所定の時点での利用者の位置情報を取得し、動線情報生成部１１ａは、蓄積した複数の位置情報より利用者の動線情報を生成し、空調制御情報生成部１１ｂは、動線情報に応じて空調対象空間ＳＰの空調制御情報を生成し、空調機制御部２２に空調を実行させる。これにより、利用者の位置を動線と静的位置とに区別して把握することができ、より効率的で快適な個別空調を実現することができる。また、位置情報、動線情報、空調情報はそれぞれ時刻と共に記憶部１３に格納されるため、例えば前日の同じ時間の位置情報を基に空調制御を行うこともできる。
【００６６】
（２）
上記実施形態に係る空調制御システム１では、空調対象空間ＳＰを予め複数の領域Ａｒに分割し、位置判定装置２５は、領域Ａｒ毎に利用者の位置情報を取得するため、より効率的に位置情報を取得することができる。
【００６７】
（３）
上記実施形態の係る空調制御システム１では、記憶部１３は、領域Ａｒ毎の固有情報を記憶する領域情報１３ｂを保持するとともに、空調情報１３ｃ及び利用者情報１３ｄも保持し、空調制御情報生成部１１ｂはこれらの情報を空調制御情報に反映させるため、より効果的で個々の状況に応じた個別空調を行うことができる。
【００６８】
（４）
上記実施形態の係る空調制御システム１では、利用者が携帯する携帯電話３０を備え、位置判定装置２５は、携帯機器３０からの信号を受信することにより位置情報を取得するため、利用者が普段携帯する機器を利用して利用者の位置をより容易に把握できる。
【００６９】
＜変形例＞
（Ａ）
上記実施形態に係る空調制御システム１では、各利用者に対して個別の空調制御情報を生成することに関して言及したが、多くの利用者が存在する空調対象空間では、更に各領域Ａｒにおける利用者の数や滞在時間の積算値等を勘案して、空調制御を行うようにしてもよい。
【００７０】
また、動線情報を生成する条件として、領域Ａｒにおける位置変化量に加えて所定数以上の利用者が移動したことを条件に加えてもよい。
【００７１】
これにより能力や数が限られた空調機を効率的に空調に割り当てることができる。
【００７２】
（Ｂ）
上記実施形態に係る空調制御システム１では、所定時間における利用者の位置情報に基づき動線情報を生成し空調制御情報を生成していたが、動線情報に更に利用者の運動量を加味した処理を行ってもよい。
【００７３】
この場合、管理装置１０の制御部１１に運動量推定部を設ける。運動量推定部は、一定の時間に対する利用者の位置変化量、即ち領域Ａｒ数をカウントし、その値から利用者の運動量を推定する。例えば、その推定運動量が多ければ熱が多く発生するため、風量を多めに設定する。
【００７４】
（Ｃ）
上記実施形態に係る空調制御システム１では、利用者の位置情報は携帯電話３０からの信号から判定しているが、赤外線センサー等を用いた熱情報による位置判定を行い、位置情報を生成してもよい。
【００７５】
この場合、管理装置１０は、赤外線センサーを介して空調対象空間ＳＰの熱情報を取得して位置情報とし、更にその熱情報の変化量が一定以上の空間部分を動線情報として生成する。
【００７６】
（Ｄ）
上記実施形態に係る空調制御システム１では、利用者の携帯機器として携帯電話３０を利用しているが、これに限定されずＩＣカード、ＩＣタグ又は携帯端末等であってもよい。
【００７７】
（Ｅ）
上記実施形態に係る空調制御システム１では、個別空調を実行する態様として室内機２４の吹出口を例に挙げているが、空気搬送用ダクトによるダクト方式であっても適用可能である。
【産業上の利用可能性】
【００７８】
本発明は、利用者の動線を把握して、有効かつ快適な個別空調を行うという効果を有し、空調制御システム及び空調制御方法として有用である。
【図面の簡単な説明】
【００７９】
【図１】本発明の実施形態に係る空調制御システムの全体的な構成図
【図２】本発明の実施形態に係る管理装置の構成及び情報の流れを示す構成図。
【図３Ａ】本発明の実施形態による空調制御システムの処理の流れの前半を示すフローチャート。
【図３Ｂ】本発明の実施形態による空調制御システムの処理の流れの後半を示すフローチャート。
【図４】本発明の実施形態による制御態様を示す図。
【符号の説明】
【００８０】
１          空調制御システム
２          通信線
１０        管理装置
１１        制御部
１１ａ      動線情報生成部
１１ｂ      空調制御情報生成部（空調制御部）
１１ｃ      位置情報取得指令部（位置情報取得部）
１２        通信部
１３        記憶部
１３ａ      位置情報
１３ｂ      領域情報
１３ｃ      空調情報
１３ｄ      利用者情報
１３ｅ      動線情報
１３ｆ      空調制御情報
２１        位置センサー（位置情報取得部）
２２        空調機制御部（空調制御部）
２３        室外機
２４        室内機
２５        位置判定装置（位置情報取得部）
ＳＰ        空調対象空間
Ａｒ        領域
【図１】
2008215705.tif 000003
【図２】
2008215705.tif 000004
【図３Ａ】
2008215705.tif 000005
【図３Ｂ】
2008215705.tif 000006
【図４】
2008215705.tif 000007